(57)【要約】  第一屈折部の処方度数を持つレンズを介してものを見たときの眼鏡装用者のボヤケに対する感じやすさを示すボヤケ感度を推定するボヤケ感度推定ステップと、ボヤケ感度推定ステップにて推定されたボヤケ感度に基づいて第一屈折部の広さを調整する第一の広さ調整ステップと、所定の基本設計レンズ群の中から、第一の広さ調整ステップにて第一屈折部の広さが調整されたレンズと一致又は近似する少なくとも一つの基本設計レンズを、眼鏡装用者が装用する累進レンズの設計基準レンズとして選定する設計基準レンズ選定ステップと、選定された設計基準レンズのレンズ設計に基づいて累進レンズを製造するためのデータを作成するデータ作成ステップを含む方法を提供する。
2015099135.tif 000002
【特許請求の範囲】
【請求項１】
第一の屈折力を持つ第一屈折部、該第一の屈折力に対して近方視のために屈折力（加入屈折力）が付加された第二の屈折力を持つ第二屈折部、及び該第一屈折部から該第二屈折部に至る子午線沿いに屈折力が累進的に変化する累進帯部を持つ累進レンズを製造するための装置であって、
前記第一屈折部の処方度数を持つレンズを介してものを見たときの眼鏡装用者のボヤケに対する感じやすさを示すボヤケ感度を推定するボヤケ感度推定手段と、
前記ボヤケ感度推定手段により推定されたボヤケ感度に基づいて前記第一屈折部のクリアに見える範囲の広さを調整する第一の広さ調整手段と、
所定の基本設計レンズ群の中から、前記第一の広さ調整手段にて前記第一屈折部のクリアに見える範囲の広さが調整されたレンズと一致又は近似する少なくとも一つの基本設計レンズを、前記眼鏡装用者が装用する累進レンズの設計基準レンズとして選定する設計基準レンズ選定手段と、
前記設計基準レンズ選定手段により選定された設計基準レンズのレンズ設計に基づいて累進レンズを製造するためのデータを作成するデータ作成手段と、
を備える、
累進レンズを製造するための装置。
【請求項２】
前記第一の広さ調整手段は、
前記第一屈折部のクリアに見える範囲の広さを、前記ボヤケ感度推定手段により推定されたボヤケ感度、及び前記第一屈折部の処方度数での視力に基づいて調整する、
請求項１に記載の累進レンズを製造するための装置。
【請求項３】
前記第二屈折部の処方度数での視力に基づいて該第二屈折部のクリアに見える範囲の広さを調整する第二の広さ調整手段
を備え、
前記設計基準レンズ選定手段は、
前記基本設計レンズ群の中から、前記第一の広さ調整手段により前記第一屈折部のクリアに見える範囲の広さが調整されたレンズと一致又は近似し且つ前記第二の広さ調整手段により前記第二屈折部のクリアに見える範囲の広さが調整されたレンズと一致又は近似する少なくとも一つの基本設計レンズを、前記眼鏡装用者が装用する累進レンズの設計基準レンズとして選定する、
請求項１又は請求項２に記載の累進レンズを製造するための装置。
【請求項４】
前記ボヤケ感度は、
前記眼鏡装用者の完全矯正値と前記第一屈折部の処方度数の値との関係に基づいて推定される、
請求項１から請求項３の何れか一項に記載の累進レンズを製造するための装置。
【請求項５】
前記完全矯正値、及び前記第一屈折部の処方度数の値の入力を要求する入力部
を備え、
前記ボヤケ感度推定手段は、
前記入力部を介して入力された完全矯正値、及び該入力部を介して入力された前記第一屈折部の処方度数の値との関係に基づいて前記ボヤケ感度を推定する、
請求項４に記載の累進レンズを製造するための装置。
【請求項６】
前記入力部は、
前記第一屈折部の処方度数での視力の入力も要求し、
前記第一の広さ調整手段は、
前記第一屈折部のクリアに見える範囲の広さを、前記ボヤケ感度推定手段により推定されたボヤケ感度、並びに前記入力部を介して入力された前記第一屈折部の処方度数での視力に基づいて調整する、
請求項２を引用する請求項５に記載の累進レンズを製造するための装置。
【請求項７】
請求項１から請求項４の何れか一項に記載の累進レンズを製造するための装置と、
前記装置と所定のネットワークを介して接続された入力装置と、
を備え、
前記入力装置は、
前記累進レンズを設計するための情報の入力を要求する入力部と、
前記入力部を介して入力された情報を前記装置に送信する送信手段と、
を有し、
前記ボヤケ感度推定手段は、
前記送信手段により送信された情報に基づいて前記ボヤケ感度を推定し、
前記第一の広さ調整手段は、
前記ボヤケ感度推定手段により推定されたボヤケ感度に基づいて前記第一屈折部の広さを調整し、
前記設計基準レンズ選定手段は、
所定の基本設計レンズ群の中から、前記第一の広さ調整手段にて前記第一屈折部の広さが調整されたレンズと一致又は近似する少なくとも一つの基本設計レンズを、前記眼鏡装用者が装用する累進レンズの設計基準レンズとして選定する、
累進レンズを供給するためのレンズ供給システム。
【請求項８】
前記入力部は、
前記完全矯正値、及び前記第一屈折部の処方度数の値の入力を要求し、
前記ボヤケ感度推定手段は、
前記送信手段により送信された完全矯正値、及び該送信手段により送信された前記第一屈折部の処方度数の値との関係に基づいて前記ボヤケ感度を推定する、
請求項７に記載の累進レンズを供給するためのレンズ供給システム。
【請求項９】
前記入力部は、
前記第一屈折部の処方度数での視力の入力も要求し、
前記第一の広さ調整手段は、
前記第一屈折部のクリアに見える範囲の広さを、前記ボヤケ感度推定手段により推定されたボヤケ感度、並びに前記送信手段により送信された前記第一屈折部の処方度数での視力に基づいて調整する、
請求項８に記載の累進レンズを供給するためのレンズ供給システム。
【請求項１０】
第一の屈折力を持つ第一屈折部、該第一の屈折力に対して近方視のために屈折力（加入屈折力）が付加された第二の屈折力を持つ第二屈折部、及び該第一屈折部から該第二屈折部に至る子午線沿いに屈折力が累進的に変化する累進帯部を持つ累進レンズを製造するための方法であって、
前記第一屈折部の処方度数を持つレンズを介してものを見たときの眼鏡装用者のボヤケに対する感じやすさを示すボヤケ感度を推定するボヤケ感度推定ステップと、
前記ボヤケ感度推定ステップにて推定されたボヤケ感度に基づいて前記第一屈折部の広さを調整する第一の広さ調整ステップと、
所定の基本設計レンズ群の中から、前記第一の広さ調整ステップにて前記第一屈折部の広さが調整されたレンズと一致又は近似する少なくとも一つの基本設計レンズを、前記眼鏡装用者が装用する累進レンズの設計基準レンズとして選定する設計基準レンズ選定ステップと、
前記設計基準レンズ選定ステップにて選定された設計基準レンズのレンズ設計に基づいて累進レンズを製造するためのデータを作成するデータ作成ステップと、
を含む、
累進レンズを製造するための方法。
【請求項１１】
前記第一の広さ調整ステップにて、
前記第一屈折部のクリアに見える範囲の広さは、
前記ボヤケ感度推定ステップにて推定されたボヤケ感度、及び前記第一屈折部の処方度数での視力に基づいて調整される、
請求項１０に記載の累進レンズを製造するための方法。
【請求項１２】
前記第二屈折部の処方度数での視力に基づいて該第二屈折部の広さを調整する第二の広さ調整ステップ
を含み、
前記設計基準レンズ選定ステップにて、
前記基本設計レンズ群の中から、前記第一の広さ調整ステップにて前記第一屈折部の広さが調整されたレンズと一致又は近似し且つ前記第二の広さ調整ステップにて前記第二屈折部の広さが調整されたレンズと一致又は近似する少なくとも一つの基本設計レンズが、前記眼鏡装用者が装用する累進レンズの設計基準レンズとして選定される、
請求項１０又は請求項１１に記載の累進レンズを製造するための方法。
【請求項１３】
前記ボヤケ感度は、
前記眼鏡装用者の完全矯正値と、前記第一屈折部の処方度数の値との関係に基づいて推定される、
請求項１０から請求項１２の何れか一項に記載の累進レンズを製造するための方法。
【請求項１４】
請求項１０から請求項１３の何れか一項に記載の方法を実施することにより作成されたデータを用いて累進レンズを製造するステップ
を含む、
累進レンズの製造方法。
【請求項１５】
請求項１０から請求項１３の何れか一項に記載の方法をコンピュータに実行させるためのプログラム。
【請求項１６】
第一の屈折力を持つ第一屈折部、該第一の屈折力に対して近方視のために屈折力（加入屈折力）が付加された第二の屈折力を持つ第二屈折部、及び該第一屈折部から該第二屈折部に至る子午線沿いに屈折力が累進的に変化する累進帯部を持つ累進レンズを製造するための装置であって、
前記第一屈折部の処方度数を持つレンズを介してものを見たときの眼鏡装用者のボヤケに対する感じやすさを示すボヤケ感度を推定するボヤケ感度推定手段と、
前記ボヤケ感度推定手段により推定されたボヤケ感度に基づいて前記第一屈折部のクリアに見える範囲の広さを調整する第一の広さ調整手段と、
所定の基本設計レンズ群の中から、前記第一の広さ調整手段にて前記第一屈折部のクリアに見える範囲の広さが調整されたレンズと一致又は近似する少なくとも一つの基本設計レンズを、前記眼鏡装用者が装用する累進レンズの設計基準レンズとして選定する設計基準レンズ選定手段と、
前記設計基準レンズ選定手段により選定された設計基準レンズのレンズ設計に基づいて累進レンズを製造するためのデータを作成するデータ作成手段と、
を有する、前記累進レンズを製造するための装置と、
提示画像の鮮明度に応じた眼鏡装用者の生体信号を計測する生体信号計測装置と、
を備え、
前記ボヤケ感度は、
前記生体信号計測装置にて計測される生体信号に基づいて推定される、
累進レンズを供給するためのレンズ供給システム。
【請求項１７】
前記第一の広さ調整手段は、
前記第一屈折部のクリアに見える範囲の広さを、前記ボヤケ感度推定手段により推定されたボヤケ感度、及び前記第一屈折部の処方度数での視力に基づいて調整する、
請求項１６に記載の累進レンズを供給するためのレンズ供給システム。
【請求項１８】
前記第二屈折部の処方度数での視力に基づいて該第二屈折部のクリアに見える範囲の広さを調整する第二の広さ調整手段
を備え、
前記設計基準レンズ選定手段は、
前記基本設計レンズ群の中から、前記第一の広さ調整手段により前記第一屈折部のクリアに見える範囲の広さが調整されたレンズと一致又は近似し且つ前記第二の広さ調整手段により前記第二屈折部のクリアに見える範囲の広さが調整されたレンズと一致又は近似する少なくとも一つの基本設計レンズを、前記眼鏡装用者が装用する累進レンズの設計基準レンズとして選定する、
請求項１６又は請求項１７の何れか一項に記載の累進レンズを供給するためのレンズ供給システム。
【請求項１９】
第一の屈折力を持つ第一屈折部、該第一の屈折力に対して近方視のために屈折力（加入屈折力）が付加された第二の屈折力を持つ第二屈折部、及び該第一屈折部から該第二屈折部に至る子午線沿いに屈折力が累進的に変化する累進帯部を持つ累進レンズを製造するための方法であって、
提示画像の鮮明度に応じた眼鏡装用者の生体信号を計測する生体信号計測ステップと、
前記生体信号計測ステップにて計測される生体信号に基づいて、前記第一屈折部の処方度数を持つレンズを介してものを見たときの眼鏡装用者のボヤケに対する感じやすさを示すボヤケ感度を推定するボヤケ感度推定ステップと、
前記ボヤケ感度推定ステップにて推定されたボヤケ感度に基づいて前記第一屈折部の広さを調整する第一の広さ調整ステップと、
所定の基本設計レンズ群の中から、前記第一の広さ調整ステップにて前記第一屈折部の広さが調整されたレンズと一致又は近似する少なくとも一つの基本設計レンズを、前記眼鏡装用者が装用する累進レンズの設計基準レンズとして選定する設計基準レンズ選定ステップと、
前記設計基準レンズ選定ステップにて選定された設計基準レンズのレンズ設計に基づいて累進レンズを製造するためのデータを作成するデータ作成ステップと、
を含む、
累進レンズを製造するための方法。
【請求項２０】
前記第一の広さ調整ステップにて、
前記第一屈折部のクリアに見える範囲の広さは、
前記ボヤケ感度推定ステップにて推定されたボヤケ感度、及び前記第一屈折部の処方度数での視力に基づいて調整される、
請求項１９に記載の累進レンズを製造するための方法。
【請求項２１】
前記第二屈折部の処方度数での視力に基づいて該第二屈折部の広さを調整する第二の広さ調整ステップ
を含み、
前記設計基準レンズ選定ステップにて、
前記基本設計レンズ群の中から、前記第一の広さ調整ステップにて前記第一屈折部の広さが調整されたレンズと一致又は近似し且つ前記第二の広さ調整ステップにて前記第二屈折部の広さが調整されたレンズと一致又は近似する少なくとも一つの基本設計レンズが、前記眼鏡装用者が装用する累進レンズの設計基準レンズとして選定される、
請求項１９又は請求項２０に記載の累進レンズを製造するための方法。
【請求項２２】
請求項１９から請求項２１の何れか一項に記載の方法を実施することにより作成されたデータを用いて累進レンズを製造するステップ
を含む、
累進レンズの製造方法。
【請求項２３】
請求項１９から請求項２１の何れか一項に記載の方法をコンピュータに実行させるためのプログラム。
【発明の詳細な説明】
【技術分野】
【０００１】
本発明は、累進屈折力レンズ（以下、「累進レンズ」と記す。）を製造するための方法、プログラム及び装置並びに累進レンズの製造方法及びレンズ供給システムに関する。
【背景技術】
【０００２】
眼鏡店等において眼鏡を作成する際、装用者が眼鏡を装用したときのものの見え方を改善させるため、眼鏡レンズの処方度数の測定が行われる（例えば特開２００２−２０００４１号公報）。【０００３】
例えば、処方測定を行う検査員は、オートレフラクトメータ等の眼の屈折度数を他覚的に測定する装置を用いて暫定的な処方度数を測定する。検査員は、次いで、フォロプターやテストフレームを用いて装用予定者の眼前に、測定結果（暫定的な処方度数）を参考にして検眼レンズを選択して配置し、配置された検眼レンズを介して装用予定者にテスト指標を視認させる。検査員は、視認させたテスト指標がどのように見えているかを装用予定者に訊き、その結果に応じて検眼レンズを差し替えるという作業を繰り返す。この検眼作業は、最も高い視力が得られる度数の値（完全矯正値）が判るまで続けられる。なお、検眼レンズを用いた検眼作業では、最も高い視力が得られる度数の内の最もプラス寄りの度数が完全矯正値とみなされる。【０００４】
検査員は、装用予定者の完全矯正値が判ると、完全矯正値もしくは、完全矯正値に調整を加えた値を暫定的な処方度数とした検眼レンズを嵌めたテストフレームを装用予定者に一定時間掛けさせる。これにより、暫定的な処方度数の眼鏡を快適に掛け続けられるかどうかを装用予定者に判断させる。装用予定者は、暫定的な処方度数の眼鏡を一定時間掛けた結果、例えば、装用予定者がクリアに見え過ぎることで却って眼に負担が掛かることから度数を少し弱めてほしいと注文したり、もっときれいに見える度数にしてほしいなどの理由からさらに度数を少し強めてほしいと注文したりすることがある。検査員は、装用予定者の注文や自身の経験的判断等を考慮しながら検眼作業を続ける。検眼作業は、装用予定者の注文等が無くなって最終的な処方度数が決定されるまで続けられる。
【発明の概要】
【０００５】
このように、処方度数は、装用予定者等の主観を考慮したうえで決定されるため、完全矯正値とは必ずしも一致しない。特に、累進レンズのようにレンズ内で屈折力が変化するタイプでは、処方度数と完全矯正値とが一致しないことが眼鏡レンズを介したものの見え方に問題となって現れることがある。具体的には、累進レンズは、レンズ全体に収差が分布している。そのため、処方度数が完全矯正値から離れた値になるほど意図しない収差が発生してしまい、装用予定者が眼鏡を装用したときのものの見え方が完全矯正値に近い度数で処方した場合に対して異なってくる。そのため、例えば、完全矯正値から離れた処方度数で作成された眼鏡レンズを装用した場合、人によってはその見え方に対して不満を覚えることがある。
【０００６】
ここで、ボヤケた画像やシャープな画像を見たときにどのように知覚するか（ボヤケに対する感じやすさを示すボヤケ感度）は人によって異なる。具体的には、ボヤケ感度は、瞳孔径の大きさ、眼球内の透光体の透明度、脳内での知覚画像を形成する能力等に依存して異なる。本発明者は、鋭意検討を重ねた結果、検眼作業にて決定された処方度数に起因するボヤケ感度を求め、求められたボヤケ感度に基づいて上記不満を和らげられる眼鏡レンズを選択したり設計したりすることが可能であるとの知見を得た。
【０００７】
上記の事項を鑑みて発明された本実施形態に係る累進レンズを製造するための装置は、第一の屈折力を持つ第一屈折部、第一の屈折力に対して近方視のために屈折力（加入屈折力）が付加された第二の屈折力を持つ第二屈折部、及び第一屈折部から第二屈折部に至る子午線沿いに屈折力が累進的に変化する累進帯部を持つ累進レンズを製造するための装置であり、第一屈折部の処方度数を持つレンズを介してものを見たときの眼鏡装用者のボヤケに対する感じやすさを示すボヤケ感度を推定するボヤケ感度推定手段と、ボヤケ感度推定手段により推定されたボヤケ感度に基づいて第一屈折部のクリアに見える範囲の広さを調整する第一の広さ調整手段と、所定の基本設計レンズ群の中から、第一の広さ調整手段により第一屈折部のクリアに見える範囲の広さが調整されたレンズと一致又は近似する少なくとも一つの基本設計レンズを、眼鏡装用者が装用する累進レンズの設計基準レンズとして選定する設計基準レンズ選定手段と、設計基準レンズ選定手段により選定された設計基準レンズのレンズ設計に基づいて累進レンズを製造するためのデータを作成するデータ作成手段とを備える。
【０００８】
本実施形態によれば、人によって異なるボヤケ感度に応じて第一屈折部のクリアに見える範囲の広さが適切に調整された基本設計レンズが眼鏡装用者の装用する累進レンズの設計基準レンズとして選定されるため、上記不満が和らげられる累進レンズを設計することが可能となる。
【０００９】
ボヤケ感度は、例えば、眼鏡装用者の完全矯正値と第一屈折部の処方度数の値との関係に基づいて推定される。
【００１０】
第一の広さ調整ステップは、第一屈折部のクリアに見える範囲の広さを、ボヤケ感度推定手段により推定されたボヤケ感度、及び第一屈折部の処方度数での視力に基づいて調整してもよい。
【００１１】
本実施形態に係る累進レンズを製造するための装置は、第二屈折部の処方度数での視力に基づいて第二屈折部のクリアに見える範囲の広さを調整する第二の広さ調整手段を備える構成であってもよい。この場合、設計基準レンズ選定手段は、所定の基本設計レンズ群の中から、第一の広さ調整手段により第一屈折部のクリアに見える範囲の広さが調整されたレンズと一致又は近似し且つ第二の広さ調整手段により第二屈折部のクリアに見える範囲の広さが調整されたレンズと一致又は近似する少なくとも一つの基本設計レンズを、眼鏡装用者が装用する累進レンズの設計基準レンズとして選定する。
【００１２】
本実施形態に係る累進レンズを製造するための装置は、完全矯正値、及び第一屈折部の処方度数の値の入力を要求する入力部を備える構成であってもよい。この場合、ボヤケ感度推定手段は、入力部を介して入力された完全矯正値、及び入力部を介して入力された第一屈折部の処方度数の値との関係に基づいてボヤケ感度を推定する。
【００１３】
入力部は、第一屈折部の処方度数での視力の入力も要求する構成としてもよい。この場合、第一の広さ調整手段は、第一屈折部のクリアに見える範囲の広さを、ボヤケ感度推定手段により推定されたボヤケ感度、並びに入力部を介して入力された第一屈折部の処方度数での視力に基づいて調整する。
【００１４】
本実施形態に係る累進レンズを供給するためのレンズ供給システムは、上記の累進レンズを製造するための装置と、提示画像の鮮明度に応じた眼鏡装用者の生体信号を計測する生体信号計測装置とを備える。当該システムにおいて、ボヤケ感度は、生体信号計測装置にて計測される生体信号に基づいて推定される。
【００１５】
また、本実施形態に係る累進レンズを供給するためのレンズ供給システムは、累進レンズを製造するための上記装置と、上記装置と所定のネットワークを介して接続された入力装置とを備える。入力装置は、累進レンズを設計するための情報の入力を要求する入力部と、入力部を介して入力された情報を装置に送信する送信手段とを有する。ボヤケ感度推定手段は、送信手段により送信された情報に基づいてボヤケ感度を推定し、第一の広さ調整手段は、ボヤケ感度推定手段により推定されたボヤケ感度に基づいて第一屈折部の広さを調整し、設計基準レンズ選定手段は、所定の基本設計レンズ群の中から、第一の広さ調整手段にて第一屈折部の広さが調整されたレンズと一致又は近似する少なくとも一つの基本設計レンズを、眼鏡装用者が装用する累進レンズの設計基準レンズとして選定する。
【００１６】
入力部は、完全矯正値、及び第一屈折部の処方度数の値の入力を要求する構成としてもよい。ボヤケ感度推定手段は、送信手段により送信された完全矯正値、及び送信手段により送信された第一屈折部の処方度数の値との関係に基づいてボヤケ感度を推定する。
【００１７】
入力部は、第一屈折部の処方度数での視力の入力も要求する構成としてもよい。第一の広さ調整手段は、第一屈折部のクリアに見える範囲の広さを、ボヤケ感度推定手段により推定されたボヤケ感度、並びに送信手段により送信された第一屈折部の処方度数での視力に基づいて調整する。
【００１８】
本実施形態に係る累進レンズを製造するための方法は、第一の屈折力を持つ第一屈折部、第一の屈折力に対して近方視のために屈折力（加入屈折力）が付加された第二の屈折力を持つ第二屈折部、及び第一屈折部から第二屈折部に至る子午線沿いに屈折力が累進的に変化する累進帯部を持つ累進レンズを製造するための方法であり、第一屈折部の処方度数を持つレンズを介してものを見たときの眼鏡装用者のボヤケに対する感じやすさを示すボヤケ感度を推定するボヤケ感度推定ステップと、ボヤケ感度推定ステップにて推定されたボヤケ感度に基づいて第一屈折部のクリアに見える範囲のクリアに見える範囲の広さを調整する第一の広さ調整ステップと、所定の基本設計レンズ群の中から、第一の広さ調整ステップにて第一屈折部のクリアに見える範囲の広さが調整されたレンズと一致又は近似する少なくとも一つの基本設計レンズを、眼鏡装用者が装用する累進レンズの設計基準レンズとして選定する設計基準レンズ選定ステップと、設計基準レンズ選定ステップにて選定された設計基準レンズのレンズ設計に基づいて累進レンズを製造するためのデータを作成するデータ作成ステップとを含む。
【００１９】
本実施形態に係る累進レンズの製造方法は、上記の累進レンズを製造するための方法を実施することにより作成されたデータを用いて累進レンズを製造するステップを含む。
【００２０】
本実施形態に係るプログラムは、上記の累進レンズを製造するための方法をコンピュータに実行させるためのものである。
【００２１】
本実施形態によれば、累進レンズを介したものの見え方に対する不満を装用予定者が感じにくくなるのに好適な、累進レンズを製造するための方法、プログラム及び装置並びに累進レンズの製造方法及びレンズ供給システムが提供される。
【図面の簡単な説明】
【００２２】
【図１】本発明の実施形態の眼鏡レンズ製造システムの構成を示すブロック図である。
【図２】本発明の実施形態の眼鏡店に備えられた店頭コンピュータに表示される眼鏡セレクタアプリの画面例を示す図である。
【図３】本発明の実施形態の眼鏡レンズ製造工場内での眼鏡レンズの製造工程のフローチャートを示す図である。
【図４】本発明の実施形態の眼鏡セレクタアプリによる遠近両用累進レンズの選択フローを示す図である。
【図５】遠用部と近用部とのバランスをタイプ別に並べた基本設計レンズ群（度数分布（平均度数誤差・非点収差））を示す図である。
【図６】遠近両用累進レンズの設計ポイントとして第８の基本設計ポイントＤＥＳ８を導入したことによる効果を説明するための図である。
【図７】提示画像の鮮明度に応じた被検者（装用予定者）のエントロピーを示すグラフである。
【図８】提示画像の鮮明度に応じた被検者（装用予定者）のエントロピーを示すグラフである。
【図９】提示画像の鮮明度に応じた被検者（装用予定者）のエントロピーを示すグラフである。
【発明を実施するための形態】
【００２３】
以下、図面を参照して、本発明の実施形態に係る眼鏡レンズ製造システムについて説明する。
【００２４】
［眼鏡レンズ製造システム１］
図１は、本実施形態の眼鏡レンズ製造システム１の構成を示すブロック図である。図１に示されるように、眼鏡レンズ製造システム１は、顧客（装用予定者）に対する処方に応じた眼鏡レンズを発注する眼鏡店１０と、眼鏡店１０からの発注を受けて眼鏡レンズを製造する眼鏡レンズ製造工場２０を有している。眼鏡レンズ製造工場２０への発注は、インターネット等の所定のネットワークやＦＡＸ等によるデータ送信を通じて行われる。発注者には眼科医や一般消費者を含めてもよい。
【００２５】
［眼鏡店１０］
眼鏡店１０には、店頭コンピュータ１００が備えられている。店頭コンピュータ１００は、例えばタブレット端末やスマートフォン、デスクトップＰＣ（Personal Computer）、ノートＰＣ等であり、装用予定者に適した眼鏡を選択するアプリケーション（以下、「眼鏡セレクタアプリ」と記す。）１０２がインストールされている。
【００２６】
図２（ａ）〜図２（ｄ）は、店頭コンピュータ１００に表示される眼鏡セレクタアプリ１０２の画面例を示す。図２（ａ）及び図２（ｂ）は、レンズデータやフレームデータの入力画面例を示す。レンズデータには、例えば、処方値（球面屈折力、乱視屈折力、乱視軸方向、プリズム屈折力、プリズム基底方向、加入度数、瞳孔間距離（ＰＤ：Pupillary Distance）等）、レンズ材質、屈折率、光学設計の種類、レンズ外径、レンズ厚、コバ厚、偏心、ベースカーブ、眼鏡レンズの装用条件（角膜頂点間距離、前傾角、フレームのそり角）、眼鏡レンズの種類（単焦点球面、単焦点非球面、多焦点（二重焦点、累進）、コーティング（染色加工、ハードコート、反射防止膜、紫外線カット等））、装用予定者の要望に応じたレイアウトデータ等が含まれる。フレームデータには、装用予定者により選択されたフレームの形状データが含まれる。また、図２（ａ）に示されるように、眼鏡セレクタアプリの情報取得項目には、上記の一般的なレンズデータやフレームデータに加えて、完全矯正値（球面屈折力、乱視屈折力、乱視軸方向、加入度数）、処方度数による左右の遠方視力及び近方視力並びに完全矯正値による左右の視力がある。
【００２７】
図２（ｃ）は、装用予定者の生活スタイルの情報を取得する画面の例を示す。この情報取得の項目には、例えば、装用予定者の基本的生活スタイル（仕事がデスクワークである、車を長時間運転する等）を問うものや生活シーン（室内で行うこと、屋外で行うこと等）を問うものがある。
【００２８】
検査員によって検眼レンズ等を用いた検眼作業が行われる。次いで、眼鏡店１０の店頭コンピュータ１００に表示される各種データの入力画面や生活スタイルを問う画面等の各画面に対する検査員又は装用予定者による入力が行われる。店頭コンピュータ１００は、眼鏡レンズの設計に必要な全ての画面に対する入力を全て受け付けると、所定の基本設計レンズ群（図５参照。詳しくは後述する。）の中から少なくとも一つの基本設計レンズを選定し、選定された基本設計レンズを画面に表示する（図２（ｄ）参照）。店頭コンピュータ１００は、画面に表示された基本設計レンズが装用予定者の装用する眼鏡レンズとして選択操作されると、発注データ（レンズデータ及びフレームデータ）を例えばインターネット経由で眼鏡レンズ製造工場２０に送信する。
【００２９】
なお、眼鏡セレクタアプリ１０２は、ネットワーク上に配置されたサーバ（不図示）にインストールされていてもよい。この場合、眼鏡セレクタアプリ１０２は、例えば店頭コンピュータ１００の汎用ブラウザをＧＵＩ（Graphical User Interface）として又は店頭コンピュータ１００にインストールされた専用のＧＵＩアプリを介してサーバ上で実行される。店頭コンピュータ１００とサーバとの通信は、例えばブラウザ上に表示された各種データの入力画面や生活スタイルを問う画面等の各画面（サーバ（眼鏡セレクタアプリ１０２）からネットワークを介してダウンロードされるもの）が遷移するタイミング等で逐次行われる。発注データは、ブラウザ等に表示された基本設計レンズが装用予定者の装用する眼鏡レンズとして選択された時点でサーバから眼鏡レンズ製造工場２０に送信される。
【００３０】
［眼鏡レンズ製造工場２０］
眼鏡レンズ製造工場２０には、ホストコンピュータ２００を中心としたＬＡＮ（Local Area Network）が構築されており、眼鏡レンズ設計用コンピュータ２０２や眼鏡レンズ加工用コンピュータ２０４をはじめ多数の端末装置が接続されている。眼鏡レンズ設計用コンピュータ２０２、眼鏡レンズ加工用コンピュータ２０４は一般的なＰＣであり、それぞれ、眼鏡レンズ設計用のプログラム、眼鏡レンズ加工用のプログラムがインストールされている。ホストコンピュータ２００には、店頭コンピュータ１００からインターネット経由で送信された発注データが入力される。ホストコンピュータ２００は、入力された発注データを眼鏡レンズ設計用コンピュータ２０２に送信する。
【００３１】
［眼鏡レンズ製造工場２０内での眼鏡レンズの製造］
［図３のＳ１１（眼鏡レンズの設計）］
図３は、眼鏡レンズ製造工場２０内での眼鏡レンズの製造工程を示すフローチャートである。眼鏡レンズ設計用コンピュータ２０２は、受注に応じた眼鏡レンズを設計するためのプログラムがインストールされており、発注データ（レンズデータ）に基づいてレンズ設計データを作成し、発注データ（フレームデータ）に基づいて玉型加工データを作成する。眼鏡レンズ設計用コンピュータ２０２は、作成されたレンズ設計データ及び玉型加工データを眼鏡レンズ加工用コンピュータ２０４に転送する。
【００３２】
［図３のＳ１２（眼鏡レンズの製造）］
眼鏡レンズ加工用コンピュータ２０４は、眼鏡レンズ設計用コンピュータ２０２から転送されたレンズ設計データ及び玉型加工データを読み込み、加工機２０６を駆動制御する。
【００３３】
例えば、注型重合法によりプラスチック眼鏡レンズを製造する場合を考える。この場合、加工機２０６は、レンズ設計データに従って例えば金属、ガラス、セラミックス等の材料を研削・研磨することにより、レンズの外面（凸面）、内面（凹面）の各面に対応する成形型を製作する。製作された一対の成形型は、眼鏡レンズの厚みに対応する間隔をもって対向配置され、両成形型の外周面が粘着テープで巻き付けられて、成形型間が封止される。一対の成形型は、眼鏡レンズ用成形装置２０８にセットされると、粘着テープの一部に孔が開けられ、この孔を通じてレンズ原料液がキャビティ（成形型間の封止空間）に注入される。キャビティに注入され充填されたレンズ原料液は、熱や紫外線照射等によって硬化される。これにより、一対の成形型の各転写面形状及び粘着テープによる周縁形状が転写された眼鏡レンズ基材が得られる。硬化によって得られた眼鏡レンズ基材は、成形型から取り外される。離型された眼鏡レンズ基材には、アニール処理による残留応力の除去が行われる。この後、染色加工、ハードコート加工、反射防止膜、紫外線カット等の各種コーティングが施される。これにより、眼鏡レンズが完成して眼鏡店１０に納品される。
【００３４】
また、眼鏡レンズ製造工場２０には、生産性を向上させるため、全製作範囲の度数を複数のグループに区分し、各グループの度数範囲に適合した凸面カーブ形状（例えば球面形状、非球面形状など）とレンズ径を有するセミフィニッシュトレンズブランク群が眼鏡レンズの注文に備えて予め用意されていてもよい。セミフィニッシュトレンズブランクは、例えば樹脂ブランク又はガラスブランクであり、凸面、凹面が夫々、光学面（完成面）、非光学面（未完成面）である。この場合、レンズデータに基づいて最適なセミフィニッシュトレンズブランクが選択され、選択されたセミフィニッシュトレンズブランクが加工機２０６にセットされる。加工機２０６は、セットされたセミフィニッシュトレンズブランクの凹面をレンズ設計データに従って研削・研磨することにより、アンカットレンズを製作する。凹面形状製作後のアンカットレンズには、染色加工、ハードコート加工、反射防止膜、紫外線カット等の各種コーティングが施される。各種コーティング後のアンカットレンズは、眼鏡レンズ設計用コンピュータ２０２により作成される玉型加工データに基づいて外周面が周縁加工される。玉型形状に加工された眼鏡レンズは眼鏡店１０に納品される。また、眼鏡レンズ製造工場２０では、セミフィニッシュトレンズブランクに代えて、凸面及び凹面が両面とも球面に成形されたレンズブランクスを用いて眼鏡レンズが製造加工されてもよい。
【００３５】
［設計・製造対象の眼鏡レンズに関する説明］
本実施形態では、２つの基準点間で屈折力が累進的に変化する領域を持つ眼鏡レンズ及びこれに類する領域を持つ眼鏡レンズ（以降、これらの眼鏡レンズを包括する文言として「累進レンズ」を用いる。）が設計・製造される。本実施形態で設計・製造される累進レンズには、例えば、遠近両用累進レンズ、中近両用レンズ、近々レンズなど、用途に応じた複数タイプが存在する。また、累進屈折要素の設計タイプも複数存在する。累進屈折要素の設計タイプには、例えば、累進屈折要素を凸面（物体側面）又は凹面（眼球側面）に与える片面累進タイプ、累進屈折要素を凸面と凹面とに配分する両面累進タイプ、縦方向の累進屈折要素を凸面に配分すると共に横方向の累進屈折要素を凹面に配分する両面複合タイプが挙げられる。
【００３６】
例えば、遠近両用累進レンズは、遠距離から近距離に至る広い距離範囲をカバーするものであり、基本的に遠方視を重視した設計となっている。具体的には、遠近両用累進レンズは、遠方視領域（遠用部）がレンズの中心よりも上側の領域に広くレイアウトされており、近方視領域（近用部）がレンズの下方部の限られた領域にレイアウトされている。遠用部側の基準点と近用部側の基準点とを結ぶ中間視領域（累進帯部）は、２つの基準点間で屈折力が累進的に変化する領域であり、子午線に沿う明視域（クリアに見える領域）の幅が遠用部や近用部に対して狭い。
【００３７】
遠近両用累進レンズを装用する装用予定者にとっては、遠用部、近用部、累進帯部の全ての領域が広いことが望ましい。しかし、レンズ内で屈折力が変化する構造を持つ遠近両用累進レンズでは、全ての領域を広く確保することが技術的に不可能である。遠近両用累進レンズは、遠用部や近用部を広くレイアウトするほど、また、遠用部から近用部までの距離（累進帯長）を短くするほど、累進帯部の両側に不要な乱視が発生して明視域の幅が狭くなるという特性を持つ。そのため、累進帯部の両側の領域では、ものをクリアに見ることができないうえ、ものが歪んで見えたり揺れて見えたりする。
【００３８】
このように、遠近両用累進レンズでは、遠用部や近用部を必要以上に広くすると、累進帯部の両側の領域に発生する不要な乱視が強くなり、ものが強く歪んで見えたり強く揺れて見えたりする。そのため、遠近両用累進レンズでは、遠用部は比較的広くレイアウトされる一方、近用部はある程度狭くレイアウトされる。これにより、累進帯部の両側の領域に発生する不要な乱視や歪み、揺れが抑えられる。
【００３９】
遠用部や近用部の広さには、遠近両用累進レンズの用途や装用予定者の生活スタイルに合わせて多くのバリエーションが用意されている。具体的バリエーションとして、遠用部のクリアに見える領域を標準的設計から狭めることにより累進帯部の両側に発生する不要な乱視や歪み、揺れを抑えるタイプ、遠用部のクリアに見える領域を標準的設計から広げたタイプ、近用部のクリアに見える領域を標準的設計から狭めることにより累進帯部の両側に発生する不要な乱視や歪み、揺れを抑えるタイプ、近用部のクリアに見える領域を標準的設計から広げたタイプ等が挙げられる。
【００４０】
中近両用レンズは、遠近両用累進レンズよりも中間視を重視して設計されており、パソコン作業やその他のデスクワーク、家事など、室内全般の距離をカバーする。近々レンズは、近方視専用に設計されており、パソコン作業やその他のデスクワークなど、例えば手元からデスク内の奥行きまでの距離をカバーする。中近両用レンズ及び近々レンズも遠近両用累進レンズと同様の特性を有しており、その用途や装用予定者の生活スタイルに合わせて多くのバリエーションが用意されている。
【００４１】
なお、以降の実施形態の説明では、遠近両用累進レンズを想定した内容となっているが、遠近両用累進レンズを中近両用レンズや近々レンズ等の他の累進レンズに置き換えた内容も本発明の実施形態の範疇である。
【００４２】
［眼鏡レンズを介したものの見え方に関する説明］
人がボヤケた画像やシャープな画像を見たときにどのように知覚するか（ボヤケ感度）は、個々人で異なっており、知覚される画像の質によって決まる。知覚される画像の質は、眼鏡レンズの処方度数の値、瞳孔径の大きさ、眼球内の透光体の透明度、脳内で処理されて形成される知覚画像等によって決まるものと考えられる。
【００４３】
知覚画像を脳内で形成する能力には個人差がある。例えば、人に僅かにボヤケた画像を見せた場合を考える。この場合、見せた画像は、人によって、脳内の処理で改善されてボヤケの無い画像として知覚されたり、脳内の処理でも改善されずそのままボヤケを伴う画像として知覚されたりする。
【００４４】
（装用予定者の視力レベルについて）
検眼によって測定され決定された眼鏡レンズの処方度数で装用予定者がどの程度の視力レベルで見えるかの情報については、眼鏡レンズメーカに提供されることはなく、眼科医、検眼士又は眼鏡店内でのみ把握されているだけである。しかし、遠近両用累進レンズは、各領域（遠用部、累進帯部、近用部）の広さに制約があり、各領域の広さの与え方によって周囲に発生する収差量が変化するという特性を持つ。このような遠近両用累進レンズを新しく作成する場合、装用予定者の視力レベルが良好であったか否かによって選択されるべき遠近両用累進レンズの基本的な設計が異なる。例えば、決定された処方度数によって遠方の視力が良好に得られている場合、装用予定者は、遠用部周辺にある程度の収差が発生しているタイプの遠近両用累進レンズを装用する場合であっても不便さを殆ど感じない。一方、決定された処方度数で遠方の視力が充分に得られていない場合、装用予定者は、上記と同じ（遠用部周辺にある程度の収差が発生しているタイプの）遠近両用累進レンズを装用すると、その収差によるボヤケを知覚しやすくなり邪魔に感じて不満を覚える。
【００４５】
このように、遠近両用累進レンズに分布する収差をどのように感じるかは、たとえ同じ遠近両用累進レンズの眼鏡を装用する場合であっても、装用予定者の視力レベルによって異なる。
【００４６】
（既存の方法で決定される処方度数について）
上述したように、検査員によって行われる検眼作業（処方度数の測定及び決定）では、検査員が装用予定者に対して検眼レンズを介したものの見え方を訊き、装用予定者がそれに返答するという形式で行われる。しかし、検眼レンズの度数が最適に近い度数になると、装用予定者は、その度数付近において何れの検眼レンズを介したものの見え方が良好であるかを判断することが難しくなり、返答に困ることがある。すなわち、装用予定者の返答には、ある程度の不正確性が残る。
【００４７】
また、上述したように、検眼作業にて決定された処方度数は、装用予定者自身の要望や検査員の経験的判断等に応じて調整されることがある。しかし、遠近両用累進レンズの注文時、眼鏡レンズメーカには、度数について眼鏡店等で最終的に決定された処方度数の値が通知されるだけであり、処方度数がどのような値なのか（例えば完全矯正値なのか、完全矯正値から幾つ調整された値なのか等）という情報については通知されない。このように、眼鏡レンズメーカには、処方度数が完全矯正値からどのように調整された値なのかという情報が無いため、装用予定者が非球面レンズや累進レンズのようにレンズ全体に屈折力が変化するタイプのレンズを掛けた時にどのように見えるかを知得することができない。
【００４８】
（ボヤケ感度について）
本発明者は、上記の情報を知得することができない状態で製造された眼鏡レンズでは、そのものの見え方について装用予定者が不満を感じることがあるという考えを想起した。
【００４９】
例えば、近視を補正するためのマイナス度数の眼鏡レンズとして単焦点の非球面設計レンズが注文された場合を考える。注文された処方度数が完全矯正値で且つ装用予定者の視力レベルを良好なレベルに改善させるものであるとき、非球面設計によって収差が改善されていることから、一般的な球面設計レンズと比べてボヤケが少なくなる。一方、注文された処方度数が例えば完全矯正値からプラス度数側に調整された（マイナス度数を弱める調整がされた）ものであるとき、非球面設計によるレンズ周辺の収差改善に伴いレンズ周辺で平均屈折力が強まることが抑えられるため、レンズ周辺を介した遠方視では、かえってものが若干ボヤケて見える。寧ろ、マイナス度数を弱めた処方度数では、収差補正されずにレンズ周辺での平均屈折力がマイナス側に強くなっている球面設計レンズの方が、レンズ周辺を介した遠方視時にものがクリアに見えることがある。このようなケースを鑑みると、処方度数がどのような値なのかがレンズ設計にフィードバックされていれば、装用予定者の上記不満を和らげることが可能な眼鏡レンズを設計することが可能になるものと考えられる。
【００５０】
上記の考えは、遠近両用累進レンズにも適用することができる。例えば、遠方視があまり重要でない装用予定者（車の運転が必要でない者や主に室内で行動する生活スタイルの者）にとっては、遠用部を広く確保する必要性が低い。寧ろ、累進帯部の両側に発生する収差を抑えると共に遠近両用累進レンズ特有の欠点である像の歪みや揺れの発生を抑える目的で、遠用部を狭くする代わりに累進帯部のクリアに見える幅を広くしたり、周辺の非点収差や度数誤差を抑えた設計が好適である。
【００５１】
遠用部がやや狭く設計された遠近両用累進レンズの場合、レンズの上部中央領域（遠用部の中央領域）には処方度数に近い屈折力が分布している。そのため、遠用部の中央領域を介して遠方視したときには、ものがクリアに見える。一方、レンズの上部中央から鼻側又は耳側にずれた遠用部の周辺領域では収差（非点収差やプラス度数寄りの度数誤差）が発生している。そのため、遠用部の周辺領域を介して遠方視したときには、注文された処方度数が完全矯正値であったとしても、処方度数に対して発生している収差の分だけ屈折力が処方度数からずれていることから、ものがボヤケて見える。但し、主に室内等で行動する生活スタイルの者は、基本的に視距離が室内等の範囲に限られる。そのため、遠用部の周辺領域を介して室内の遠方を見た場合にも、ものがクリアに見え、実質的に問題にはならない。
【００５２】
しかし、注文された処方度数が完全矯正値に対してプラス度数寄りに調整されたものである場合、遠用部の中央領域を介した遠方視時には、調整度数分だけボヤケて見える。遠用部の周辺領域を介した遠方視時には、周辺領域に分布している収差（特にプラス度数寄りの度数誤差）と調整度数分の収差とが重畳されることから更にボヤケて見える。後者の場合、室内での遠方視であってもボヤケて見えるという虞がある。この問題を解消するためには、例えば遠用部を広く設計することが考えられる。これにより、遠用部の中央領域を介して室内を遠方視したときと遠用部の周辺領域を介して室内を遠方視したときとの見え方の差が少なくなるため、遠用部の周辺領域を介したものの見え方にボヤケを感じにくくなる。
【００５３】
以上のことから、検眼作業にて決定された完全矯正値と検眼作業にて調整等がされて決定された処方度数の値との関係は、装用予定者が遠近両用累進レンズを介してものを見たときに知覚するボヤケ具合（ボヤケ感度）と密接に関連するものと考えられる。そこで、本発明者は、鋭意検討を重ねた結果、検眼作業にて決定された完全矯正値と検眼作業にて調整等がされて決定された処方度数の値との関係（差異）から装用予定者のボヤケ感度を推定すること、すなわちボヤケ感度の高低を見積もることができ、推定されたボヤケ感度に基づいて適切な遠近両用累進レンズの設計傾向を判断することができるとの知見を得た。また、装用予定者の視力レベルも考慮することにより、より適切な遠近両用累進レンズの設計傾向を判断することができるとの知見も得た。
【００５４】
［眼鏡セレクタアプリ１０２による遠近両用累進レンズの選択方法］
図４は、眼鏡セレクタアプリ１０２による遠近両用累進レンズについて、あらかじめ設計バリエーションとして用意されている基本設計レンズ群の中から装用予定者に適した基準設計の遠近両用累進レンズを選択するフローを示す。
【００５５】
［図４のＳ２１（各基本設計ポイントＤＥＳ１〜ＤＥＳ７の計算）］
本処理ステップＳ２１では、基本設計ポイントＤＥＳ１〜ＤＥＳ７が計算される。ここでは、基本設計ポイントＤＥＳ１〜ＤＥＳ７について概説的に説明する。基本設計ポイントＤＥＳ１〜ＤＥＳ７の詳細な説明については、特許第５０９４９６８号公報にて参照することができる。
【００５６】
眼鏡セレクタアプリ１０２は、店頭コンピュータ１００に表示される各種データの入力画面を通じて入力された左右の遠用球面屈折力ＳＰＨ、円柱屈折力ＣＹＬ及び乱視の軸方向ＡＸに基づいて左右の平均値ＭＰＷを計算し、計算された平均値ＭＰＷに基づいて第１の基本設計ポイントＤＥＳ１を計算する。
【００５７】
眼鏡セレクタアプリ１０２は、店頭コンピュータ１００に表示される各種データの入力画面を通じて入力された左右の加入度数ＡＤＤに基づいて第２の基本設計ポイントＤＥＳ２を計算する。
【００５８】
眼鏡セレクタアプリ１０２は、店頭コンピュータ１００に表示される各種データの入力画面を通じて入力されたフレーム情報（レンズの前傾角ＰＡ）に基づいて第３の基本設計選択ポイントＤＥＳ３を計算する。
【００５９】
眼鏡セレクタアプリ１０２は、店頭コンピュータ１００に表示される各種データの入力画面を通じて入力されたフレーム情報（左右のレンズ裏面と左右の眼球角膜頂点との距離ＶＤＬ、ＶＤＲ）に基づいて平均頂間距離ＭＶＤを計算し、計算された平均頂間距離ＭＶＤに基づいて第４の基本設計選択ポイントＤＥＳ４を計算する。
【００６０】
眼鏡セレクタアプリ１０２は、店頭コンピュータ１００に表示される生活スタイルを問う画面を通じて入力された各生活シーン（テレビ鑑賞、パソコン、楽器演奏、料理、ガーデニング、ダンス・フィットネス）に対する重要度Ａ１〜Ａ６、各生活シーン（ショッピング、会食・パーティー、旅行・リゾート、風景写真撮影、ランニング、ウォーキング）に対する重要度Ｂ１〜Ｂ６及び各生活シーン（ドライブ、バイク・ツーリング・スタジアム観戦、ゴルフ、登山・ハイキング、劇場・映画鑑賞）に対する重要度Ｃ１〜Ｃ６に基づいて第５の基本設計選択ポイントＤＥＳ５を計算する。
【００６１】
眼鏡セレクタアプリ１０２は、店頭コンピュータ１００に表示される各種データの入力画面を通じて入力された重視度ＦＷＴ（装用予定者の遠方視に対する重要度）に基づいて第６の基本設計選択ポイントＤＥＳ６を計算する。
【００６２】
眼鏡セレクタアプリ１０２は、店頭コンピュータ１００に表示される各種データの入力画面を通じて入力されたタイプ情報ＫＢｔｐ（累進レンズ・多焦点レンズ・その他短焦点レンズなど、装用予定者が前回使用していた眼鏡のレンズ種の情報）、前回使用していた眼鏡の満足度ＳＡＴ及び平均値ＭＰＷｐ並びにＭＰＷに基づいて第７の基本設計選択ポイントＤＥＳ７を計算する。
【００６３】
［図４のＳ２２（第８の基本設計ポイントＤＥＳ８の計算）］
本処理ステップＳ２２では、第８の基本設計ポイントＤＥＳ８が計算される。
【００６４】
［図４のＳ２３（基本設計ポイントＤＥＳの計算）］
本処理ステップＳ２３では、ＤＥＳＴＴ（＝ＤＥＳ１＋ＤＥＳ２＋ＤＥＳ３＋ＤＥＳ４＋ＤＥＳ５＋ＤＥＳ６＋ＤＥＳ７＋ＤＥＳ８）、ＣＵＲＤ（前回使用眼鏡のタイプの指標）及び満足度ＳＡＴに基づいて基本設計ポイントＤＥＳが計算される。なお、基本設計ポイントＤＥＳの計算の詳細（但し、第８の基本設計ポイントＤＥＳ８を除く内容）は、特許第５０９４９６８号公報にて参照することができる。
【００６５】
［図４のＳ２４（基本設計レンズの選定）］
本処理ステップＳ２４では、処理ステップＳ２３（基本設計ポイントＤＥＳの計算）にて計算された基本設計ポイントＤＥＳに基づいて、所定の基本設計レンズ群の中から、少なくとも一つの基本設計レンズが装用予定者に装用される遠近両用累進レンズの設計基準レンズとして選定されて、店頭コンピュータ１００の画面に表示される。
【００６６】
ここで、図５及び図６に、遠近両用累進レンズの設計ポイントとして第８の基本設計ポイントＤＥＳ８を導入したことによる効果を説明するための図を示す。
【００６７】
図５は、遠用部と近用部とのバランスをタイプ別に並べた基本設計レンズ群（度数分布（平均度数誤差・非点収差））を示す。図５中、右側の基本設計レンズ（度数分布）ほど遠用部が広い遠用クリアタイプ（遠方視領域の周辺部の収差が少ない）レンズであり、左側の基本設計レンズ（度数分布）ほど遠用部が狭い遠用ソフトタイプ（遠方視領域の周辺部の収差が多い）レンズである。また、図５中、下側の基本設計レンズ（度数分布）ほど近用部が広い近用クリアタイプ（近方視のための屈折力を広く分布させた）レンズであり、上側の基本設計レンズ（度数分布）ほど近用部が狭い近用ソフトタイプ（近方視のための屈折力を狭く分布させた）レンズである。なお、図５（及び後述の図６）に並べられた各基本設計レンズの分布は、近用部の鼻側に寄せるインセットを行う前の基本的な分布である。それぞれの基本設計分布が右レンズに使用されるか左レンズに使用されるかが決まると、近用部を鼻側に寄せる近用部のインセットが行われる。
【００６８】
遠用クリアタイプの設計は、主に、遠用部（又は近用部）の僅かな像のボヤケが気になりやすい条件（車を運転する頻度が高い等）の装用予定者に適しており、標準タイプ（本実施形態では基本設計レンズ群の中央に配置されたレンズタイプ）に対して、累進帯部でクリアな領域が狭められる代わりに、遠用部（又は近用部）でクリアに見える領域が広く確保される。遠用クリアタイプの設計によれば、累進帯部の両側の領域に発生する不要な乱視や歪み、揺れが増加するものの、遠用部（又は近用部）でクリアに見える領域が広くなるため、遠方視（又は近方視）を重視する装用予定者に好適である。
【００６９】
遠用ソフトタイプの設計は、主に、遠用部（又は近用部）の僅かな像のボヤケが気になりにくい条件（車を運転しない等）の装用予定者に適しており、遠用部（又は近用部）でクリアに見える領域が狭められる代わりに、累進帯部が広く確保される。遠用ソフトタイプの設計によれば、遠用部（又は近用部）でクリアに見える領域が狭められているものの、累進帯部の両側の領域に発生する不要な乱視や歪み、揺れが抑えられるため、中間視を重視する装用予定者に好適である。
【００７０】
図６（ａ）〜図６（ｄ）を参照して、第８の基本設計ポイントＤＥＳ８に基づいて遠用部の設計傾向（遠用クリアタイプ、遠用ソフトタイプ等）が変更されるケースを４例説明する。なお、図６（ａ）〜図６（ｄ）の各図中、便宜上、ＤＥＳＴＴが基本設計ポイントＤＥＳ１〜ＤＥＳ７の加算値（第８の基本設計ポイントＤＥＳ８を加算しない値）であるときの基本設計ポイントＤＥＳに基づいて選定される基本設計レンズの範囲に符号ＳＤＬを付す。また、ＤＥＳＴＴが基本設計ポイントＤＥＳ１〜ＤＥＳ８の加算値であるときの基本設計ポイントＤＥＳに基づいて選定される基本設計レンズの範囲に符号ＳＤＬ’を付す。なお、図６（ａ）〜図６（ｄ）の各図中、範囲ＳＤＬ’に一部でも含まれる基本設計レンズ（度数分布（平均度数誤差・非点収差））が装用予定者に装用される遠近両用累進レンズの設計基準レンズとして選定される。
【００７１】
また、下記ケース１〜４においては、遠用部を介した装用予定者の視力レベルが良好か否かが判定される。具体的には、検眼作業にて測定された両眼視力値ＶＡｂが０．９以上のときには視力レベルが良好と判定され、両眼視力値ＶＡｂが０．９未満のときには視力レベルが不良と判定される。なお、両眼視力値ＶＡｂが測定されていない場合は、左右眼の視力（図２（ａ）の画面を介して入力された処方度数による左右の遠方視力）に基づいて両眼視力値ＶＡｂが計算される。下記は、両眼視力値ＶＡｂの計算例である。
両眼視力値ＶＡｂ＝（（右眼視力＋左目視力））／２）×１．１
【００７２】
［ケース１：遠用部を介した装用予定者の視力レベルが良好で且つ遠用処方度数が完全矯正値又はそれに近似する値］
遠用処方度数が完全矯正値又はそれに近似する値であるため、遠方視時におけるもののボヤケが少ない。なお、遠用処方度数と完全矯正値との関係（差異）は、図２（ａ）の画面を介して入力された処方度数と完全矯正値に基づいて把握される。そのため、遠用部の設計傾向を多少変えたとしても、少なくとも遠方視時に限ってはボヤケが知覚されにくい。従って、本ケース１では、装用予定者は、遠用処方度数ではボヤケに対して鈍く、ボヤケ感度が低いものと推定される。附言するに、ボヤケ感度は、遠用処方度数と完全矯正値とが近いほど低いものと推定される。なお、通常は意図して行われることは無いと考えられるが、もし、遠用処方度数が完全矯正よりも僅かにマイナス寄りに処方されただけの場合もボヤケ感度は低いものと推定される。
【００７３】
本ケース１では、次式により、第８の基本設計ポイントＤＥＳ８が計算される。
ＤＥＳ８＝（ΔＰＷ−０．２５）×（ＶＡｂ−０．６）×３０
ΔＰＷは、遠用処方度数（右）と完全矯正値（右）との平均度数の差と、遠用処方度数（左）と完全矯正値（左）との平均度数の差の平均値である。数式で表すと、
ΔＰＷ＝（（ＳＰＨＲ＋ＣＹＬＲ／２）−（ＳＰＨＲ０＋ＣＹＬＲ０／２）＋（ＳＰＨＬ＋ＣＹＬＬ／２）−（ＳＰＨＬ０＋ＣＹＬＬ０／２））／２
となる。
【００７４】
第８の基本設計ポイントＤＥＳ８がマイナス値のときには、遠用部がソフトな設計を選択するように作用し、第８の基本設計ポイントＤＥＳ８がプラス値のときには、遠用部がクリアな設計を選択するように作用する。本ケース１では、第８の基本設計ポイントＤＥＳ８がマイナス値となる。そのため、図６（ａ）に示されるように、選定される基本設計レンズの範囲は、範囲ＳＤＬから遠用ソフト側の範囲ＳＤＬ’にシフトされる。シフトの量は、第８の基本設計ポイントＤＥＳ８の絶対値が大きいほど大きく、小さいほど小さくなる。
【００７５】
なお、本ケース１では、遠用部を介した装用予定者の視力レベルが良好であるため、選定される基本設計レンズの範囲を遠用ソフト側（すなわちボヤケが増える側）にシフトさせたとしても、実質的に問題にはならない。
【００７６】
［ケース２：遠用部を介した装用予定者の視力レベルが良好で且つ遠用処方度数が完全矯正値からプラス度数側に離れた値に調整］
遠用処方度数が完全矯正値からプラス度数側に離れた値に調整されているため、遠方視時におけるもののボヤケが若干大きい。特に、遠用部の周辺領域を介してものを見たときのボヤケは大きい。そのため、例えば遠用部の設計傾向を更にプラス度数側に変えると、遠方視時のボヤケがかなり大きくなる虞がある。従って、本ケース２では、装用予定者は、遠用処方度数ではボヤケに対して敏感で、ボヤケ感度が高いものと推定される。附言するに、ボヤケ感度は、遠用処方度数と完全矯正値とが離れているほど高いものと推定される。
【００７７】
本ケース２においてもケース１と同じ式で第８の基本設計ポイントＤＥＳ８が計算される。本ケース２では、第８の基本設計ポイントＤＥＳ８がプラス値となる。そのため、図６（ｂ）に示されるように、選定される基本設計レンズの範囲は、範囲ＳＤＬから遠用クリア側（完全矯正値に近い側）の範囲ＳＤＬ’にシフトされる。シフトの量は、第８の基本設計ポイントＤＥＳ８の絶対値が大きいほど大きく、小さいほど小さくなる。
【００７８】
なお、本ケース２では、遠用部を介した装用予定者の視力レベルが既に良好ではあるが、完全矯正値に近づけるほど視力レベルが更に向上すると考えられる。
【００７９】
［ケース３：遠用部を介した装用予定者の視力レベルが不良で且つ遠用処方度数が完全矯正値又はそれに近似する値］
本ケース３においてもケース１と同じく遠用処方度数が完全矯正値又はそれに近似する値であるため、装用予定者のボヤケ感度が低いものと推定される。本ケース３では、視力レベルが不良と判定された場合を考慮するための次式により、第８の基本設計ポイントＤＥＳ８が計算される。
ＤＥＳ８＝ΔＰＷ×１０
【００８０】
本ケース３では、ケース１と同じく遠用ソフト側へのシフトが可能と思われる。しかし、遠用部を介した装用予定者の視力レベルが不良であるため、基本設計レンズの範囲のシフトは推奨されない。そのため、図６（ｃ）に示されるように、選定される基本設計レンズの範囲が遠用ソフト側へシフトされない。
【００８１】
［ケース４：遠用部を介した装用予定者の視力レベルが不良で且つ遠用処方度数が完全矯正値からプラス度数側に離れた値に調整］
本ケース４においてもケース２と同じく遠用処方度数が完全矯正値からプラス度数側に離れた値に調整されているため、装用予定者のボヤケ感度が高いものと推定される。第８の基本設計ポイントＤＥＳ８の計算式は、視力レベルが不良であることから、ケース３と同じである。
【００８２】
本ケース４では、遠用部を介した装用予定者の視力レベルが不良であるが、完全矯正値に近づければ視力レベルが改善するものと考えられる。そのため、図６（ｄ）に示されるように、選定される基本設計レンズの範囲は、範囲ＳＤＬから遠用クリア側（完全矯正値に近い側）の範囲ＳＤＬ’にシフトされる。シフトの量は、第８の基本設計ポイントＤＥＳ８の絶対値が大きいほど大きく、小さいほど小さくなる。
【００８３】
［発注データの作成］
図４の処理ステップＳ２４（装用される遠近両用累進レンズの基本設計レンズの選定）にて選定された基本設計レンズの中から一つが選択操作されると、眼鏡セレクタアプリ１０２は、選択された基本設計レンズに基づいて、装用予定者の身体的特徴、使用状況及び処方度数に適した遠近両用累進レンズの発注データ（レンズデータ及びフレームデータ）を作成して眼鏡レンズ製造工場２０に送信する。
【００８４】
［近用部の設計傾向（近用クリアタイプ、近用ソフトタイプ等）の変更］
上記においては、遠用部の設計傾向が変更されているが、併せて近用部の設計傾向を変更してもよい。近用部の設計傾向は、例えば、以下に説明されるように、近方視力表を用いて測定された両眼での近方視力値に基づいて変更するとよい。
【００８５】
近方視力測定に用いられる近方視力表として、印刷物による近方視力測定用の視力表や、近方距離に設置された小型ディスプレイ装置に表示される視力表が挙げられる。近方視力の測定は、通常４０ｃｍの距離で行われる。但し、装用予定者の近方視のための距離が明確である場合は、その距離で近方視力測定を行うとよい。以下、近用部の設計傾向の変更について、近方視力（近方の両眼視力値ＶＡｂｎ）に応じた３つのケースを説明する。
【００８６】
［０．６≦ＶＡｂｎ＜１．０のケース］
本ケースでは、普通のレベルの近方視力が得られているため、近方視力を考慮することによる近用部の設計傾向の変更は必要が無い。近用部の設計傾向は、主に、装用予定者の生活シーン（例えば読書や新聞をよく読むかどうか）等の近方視力以外の情報によって決定される。
【００８７】
［１．０≦ＶＡｂｎのケース］
本ケースでは、特に良好な近方視力が得られている。近用部を介した近方視が快適であると考えられるため、近方視力以外の情報に基づく近用部の設計傾向に対し、近方視力の値に応じてやや狭い近用部を持つ近用ソフトタイプが選定される（例えば図６（ａ）では範囲ＳＤＬが上側にシフト）。近用ソフトタイプでは、近用部が狭められる代わりに累進帯部におけるクリアな領域が広くなり、累進帯部の両側の領域に発生する不要な乱視や歪み、揺れが抑えられる。なお、累進レンズの近用部の広さを狭くすることには限度があり、本ケースでは、近用部の広さは、両眼視力値ＶＡｂｎに拘わらず、標準的設計に対して２０％程度狭くするのが限度であるものと考えられる。
【００８８】
［ＶＡｂｎ＜０．６のケース］
本ケースでは、良好な近方視力が得られていない。近用部を介した近方視を快適にするためには、近方視力以外の情報に基づく近用部の設計傾向に対し、近方視力の値に応じてやや広い近用部を持つ近用クリアタイプが選定される（例えば図６（ａ）では範囲ＳＤＬが下側にシフト）。但し、近用部が広がる代わりに累進帯部におけるクリアな領域が狭くなり、累進帯部の両側の領域に発生する不要な乱視や歪み、揺れが増加する。なお、累進レンズの近用部の広さを広くすることには限度があり、本ケースでは、近用部の広さは、両眼視力値ＶＡｂｎに拘わらず、標準的設計に対して３０％程度広くするのが限度であるものと考えられる。
【００８９】
遠用部の設計傾向を変更する方法と近用部の設計傾向を変更する方法の両方を実施した上で遠近両用累進レンズを設計することにより、装用予定者に対してより適切な遠近両用累進レンズを提供することが可能となる。
【００９０】
以上が本発明の例示的な実施形態の説明である。本発明の実施形態は、上記に説明したものに限定されず、本発明の技術的思想の範囲において様々な変形が可能である。例えば明細書中に例示的に明示される実施例や変形例又は自明な実施例や変形例を適宜組み合わせた内容も本願の実施形態に含まれる。
【００９１】
上記の実施形態では、検眼作業にて決定された完全矯正値と検眼作業にて調整等がされて決定された処方度数の値との関係（差異）から装用予定者のボヤケ感度が推定されているが、別の実施形態では、ＮＩＲＳ（Near-infrared spectroscopy）脳計測装置を用いてボヤケ感度が測定されてもよい。
【００９２】
ＮＩＲＳ脳計測装置を用いたボヤケ感度の測定方法についての詳細は、例えば国際公開第２０１４／２２９２６号パンフレット（以下、「国際公開公報１」と記す。）に開示されている。一例として、装用予定者は、ＮＩＲＳ脳計測装置を用いてボヤケ感度を測定するに当たり、検眼作業にて決定された処方度数（遠用度数）の検眼レンズを装用する。また、装用予定者の前頭部にＮＩＲＳ脳計測装置のプローブがセットされる（例えば国際公開公報１の図３参照）。プローブがセットされた装用予定者に対して、鮮明度（Image Clarity Level）の異なる複数枚の画像がランダムに提示される。なお、検眼レンズの度数は、装用予定者と提示画像との距離に応じて適宜調整される。複数枚の提示画像には、鮮明度が調節されていないオリジナル画像並びにオリジナル画像に対して鮮明化された（sharpened）画像及びぼやかされた（blurred）画像が含まれる。複数枚の提示画像の具体例は、国際公開公報１の図２２や図２５等にて参照される。
【００９３】
図７〜図９に、国際公開公報１の図２３Ａ〜図２３Ｃを引用して示す。図７〜図９はそれぞれ、提示画像の鮮明度に応じた被検者（装用予定者）毎のエントロピーを例示するグラフである。図７〜図９中、縦軸は、相対エントロピー（Relative Entropy）を示しており、オリジナル画像を見たときの装用予定者のエントロピーの値を基準（エントロピーがゼロ）としている。横軸は、提示画像の鮮明度（Image Clarity Level(slope index)）を示している。図７〜図９において、オリジナル画像の鮮明度はゼロであり、オリジナル画像に対して鮮明化された画像の鮮明度はゼロより大きく（プラスの値であり）、オリジナル画像に対してぼやかされた画像の鮮明度はゼロより小さい（マイナスの値）。図７〜図９において、相対エントロピーは、ＮＩＲＳ脳計測装置にて計測される生体信号（脳内血流（酸化ヘモグロビンの量））から決定される。国際公開公報１のＮＩＲＳ脳計測装置を用いたボヤケ感度の測定方法においては、図７〜図９のグラフの傾きが大きいほど（画像が僅かに鮮明化された（sharpened）又は僅かにぼやかされた（blurred）ときにおける装用予定者の脳の反応が高いほど）ボヤケ感度が高いと評価される。すなわち、本測定方法を採用することにより、装用予定者のボヤケ感度が脳内血流に基づいて客観的に評価される。
【００９４】
ここで、ボヤケ感度の高低を判断するための判断基準の一例を説明する。判断基準は、例えば２０名程度の被検者に対する測定の結果に基づいて決定される。具体的には、オリジナル画像（slope index=0）を基準としてslope indexが±０．１刻みで変化され、被検者が画像処理によって鮮明化された（sharpened）又はぼやかされた（blurred）画像を見たときの相対エントロピーが測定される。次いで、これらの被検者に対する測定の結果から、相対エントロピーの平均的な変化具合（図７〜図９のグラフでいうところの傾き）が求められる。以下、説明の便宜上、相対エントロピーの平均的な変化具合を「基準変化具合」と記す。装用予定者について相対エントロピーが測定されその変化具合が求められると、基準変化具合との比較判断が行われる。装用予定者の相対エントロピーの変化具合が基準変化具合よりも大きい（例えば装用予定者の相対エントロピーの低下が平均的な相対エントロピーの低下よりも大きい）場合にボヤケ感度が高いと判断され、基準変化具合よりも小さい（例えば装用予定者の相対エントロピーの低下が平均的な相対エントロピーの低下よりも小さい）場合にボヤケ感度が低いと判断される。
【００９５】
判断基準（基準変化具合）を求めるための測定は被検者が多いほど好ましいが、２０名程度の被検者を測定すれば適切かつ妥当な基準変化具合が求まる。但し、各被検者は、提示画像に対して十分に視力が出ていることが必要である。そのためには、眼鏡レンズなどによる適切な視力補正をしたうえで測定を行う必要がある。また、基準変化具合を求めるときに、被検者への提示画像の大きさや提示画像自体によって相対エントロピーの変化する程度や範囲が変わることから、基準変化具合を求める時の提示画像と、装用予定者の測定を行う時の提示画像は同じものを使用することが望ましい。
【００９６】
また、オリジナル画像（slope index=0）よりも鮮明化された（sharpened）画像（slope index>0）に対する反応の高さ（装用予定者の相対エントロピーの変化具合）や、オリジナル画像（slope index=0）よりもぼやかされた（blurred）画像（slope index<0）に対する反応の高さ（装用予定者の相対エントロピーの変化具合）から、（１）処方度数が完全矯正値に近い値であるかどうか、（２）処方度数が完全矯正値よりもプラス度数側に調整されているかどうか、（３）装用予定者のボヤケ感度が高いか低いか、のそれぞれを評価することもできる。この評価では、オリジナル画像（slope index=0）を中心にslope indexが±０．０５刻みで変化された画像が装用予定者に提示される。評価は、画像を僅かに鮮明化させる（sharpened）又は僅かにぼやかせる（blurred）範囲内で行われる。
【００９７】
オリジナル画像に対して鮮明化された（sharpened）画像に対するエントロピーの上昇が小さいほど（装用予定者の相対エントロピーの変化具合が小さいほど）、装用予定者は処方された度数のレンズを装用し且つ鮮明化された（sharpened）画像を充分に知覚できている状態にあると考えられる。また、オリジナル画像に対してぼやかされた（blured）画像に対するエントロピーの低下が小さいほど（装用予定者の相対エントロピーの変化具合が小さいほど）、装用予定者は処方された度数のレンズを装用し且つぼやかされた（blured）画像をあまりぼやけていない画像として知覚できている状態にあると考えられる。この場合、処方度数が完全矯正値に近い状態であると評価される（上記（１））。これとは逆に、オリジナル画像に対して鮮明化された（sharpened）画像に対するエントロピーの上昇が大きいほど（装用予定者の相対エントロピーの変化具合が大きいほど）、装用予定者は処方された度数のレンズを装用し且つより鮮明化された（sharpened）画像を求めている状態にあると考えられる。また、オリジナル画像に対してぼやかされた（blured）画像に対するエントロピーの低下が大きいほど（装用予定者の相対エントロピーの変化具合が大きいほど）、装用予定者は処方された度数のレンズを装用し且つよりぼやかされた（blured）画像を大きくぼやけた画像として知覚している状態にあると考えられる。この場合、処方度数が完全矯正値よりもプラス度数側に調整されていると評価される（上記（２））。また、上記（３）について、オリジナル画像に対してぼやかされた（blurred）画像に対する反応が小さければ、装用予定者のボヤケ感度が低いと評価され、オリジナル画像に対してぼやかされた（blurred）画像に対する反応が大きければ、装用予定者のボヤケ感度が高いと評価される。
【００９８】
次に、例えば、遠用部を介した装用予定者の視力レベルが良好で且つ遠方距離の提示画像に対する装用予定者のボヤケ感度が低いと評価された場合を考える。この場合、選定される基本設計レンズの範囲は上記の実施形態のケース１と同じく、図６（ａ）に示されるように、範囲ＳＤＬから遠用ソフト側の範囲ＳＤＬ’にシフトされる。
【００９９】
なお、処方度数において装用予定者の視力レベルが良好か否かは、例えばＩＰＳＤ（Integral of the entropy's Power Spectrum Density）に基づいて判定してもよい（国際公開公報１の図２７〜図３２参照）。
【０１００】
また、例えば、遠用部を介した装用予定者の視力レベルが良好で且つ遠方距離の提示画像に対する装用予定者のボヤケ感度が高いと評価された場合を考える。この場合、選定される基本設計レンズの範囲は上記の実施形態のケース２と同じく、図６（ｂ）に示されるように、範囲ＳＤＬから遠用クリア側の範囲ＳＤＬ’にシフトされる。
【０１０１】
また、例えば、遠用部を介した装用予定者の視力レベルが不良で且つ遠方距離の提示画像に対する装用予定者のボヤケ感度が低いと評価された場合を考える。この場合、選定される基本設計レンズの範囲は上記の実施形態のケース３と同じく、図６（ｃ）に示されるように、範囲ＳＤＬからシフトされない。
【０１０２】
また、例えば、遠用部を介した装用予定者の視力レベルが不良で且つ遠方距離の提示画像に対する装用予定者のボヤケ感度が高いと評価された場合を考える。この場合、選定される基本設計レンズの範囲は上記の実施形態のケース４と同じく、図６（ｄ）に示されるように、範囲ＳＤＬから遠用クリア側の範囲ＳＤＬ’にシフトされる。
【図１】
2015099135.tif 000003
【図２】
2015099135.tif 000004
【図３】
2015099135.tif 000005
【図４】
2015099135.tif 000006
【図７】
2015099135.tif 000007
【図８】
2015099135.tif 000008
【図９】
2015099135.tif 000009
【図５】
2015099135.tif 000010
【図６】
2015099135.tif 000011
【手続補正書】
【提出日】平成28年8月18日(2016.8.18)
【手続補正１】
【補正対象書類名】特許請求の範囲
【補正対象項目名】請求項５
【補正方法】変更
【補正の内容】
【請求項５】
前記完全矯正値、及び前記第一屈折部の処方度数の値の入力を要求する入力部
を備え、
前記ボヤケ感度推定手段は、
前記入力部を介して入力された完全矯正値と、該入力部を介して入力された前記第一屈折部の処方度数の値との関係に基づいて前記ボヤケ感度を推定する、
請求項４に記載の累進レンズを製造するための装置。
【手続補正２】
【補正対象書類名】特許請求の範囲
【補正対象項目名】請求項７
【補正方法】変更
【補正の内容】
【請求項７】
請求項１から請求項４の何れか一項に記載の累進レンズを製造するための装置と、
前記装置と所定のネットワークを介して接続された入力装置と、
を備え、
前記入力装置は、
前記累進レンズを設計するための情報の入力を要求する入力部と、
前記入力部を介して入力された情報を前記装置に送信する送信手段と、
を有し、
前記ボヤケ感度推定手段は、
前記送信手段により送信された情報に基づいて前記ボヤケ感度を推定し、
前記第一の広さ調整手段は、
前記ボヤケ感度推定手段により推定されたボヤケ感度に基づいて前記第一屈折部のクリアに見える範囲の広さを調整し、
前記設計基準レンズ選定手段は、
所定の基本設計レンズ群の中から、前記第一の広さ調整手段にて前記第一屈折部のクリアに見える範囲の広さが調整されたレンズと一致又は近似する少なくとも一つの基本設計レンズを、前記眼鏡装用者が装用する累進レンズの設計基準レンズとして選定する、
累進レンズを供給するためのレンズ供給システム。
【手続補正３】
【補正対象書類名】特許請求の範囲
【補正対象項目名】請求項８
【補正方法】変更
【補正の内容】
【請求項８】
前記入力部は、
前記完全矯正値、及び前記第一屈折部の処方度数の値の入力を要求し、
前記ボヤケ感度推定手段は、
前記送信手段により送信された完全矯正値と、該送信手段により送信された前記第一屈折部の処方度数の値との関係に基づいて前記ボヤケ感度を推定する、
請求項７に記載の累進レンズを供給するためのレンズ供給システム。
【手続補正４】
【補正対象書類名】特許請求の範囲
【補正対象項目名】請求項１０
【補正方法】変更
【補正の内容】
【請求項１０】
第一の屈折力を持つ第一屈折部、該第一の屈折力に対して近方視のために屈折力（加入屈折力）が付加された第二の屈折力を持つ第二屈折部、及び該第一屈折部から該第二屈折部に至る子午線沿いに屈折力が累進的に変化する累進帯部を持つ累進レンズを製造するための方法であって、
前記第一屈折部の処方度数を持つレンズを介してものを見たときの眼鏡装用者のボヤケに対する感じやすさを示すボヤケ感度を推定するボヤケ感度推定ステップと、
前記ボヤケ感度推定ステップにて推定されたボヤケ感度に基づいて前記第一屈折部のクリアに見える範囲の広さを調整する第一の広さ調整ステップと、
所定の基本設計レンズ群の中から、前記第一の広さ調整ステップにて前記第一屈折部のクリアに見える範囲の広さが調整されたレンズと一致又は近似する少なくとも一つの基本設計レンズを、前記眼鏡装用者が装用する累進レンズの設計基準レンズとして選定する設計基準レンズ選定ステップと、
前記設計基準レンズ選定ステップにて選定された設計基準レンズのレンズ設計に基づいて累進レンズを製造するためのデータを作成するデータ作成ステップと、
を含む、
累進レンズを製造するための方法。
【手続補正５】
【補正対象書類名】特許請求の範囲
【補正対象項目名】請求項１２
【補正方法】変更
【補正の内容】
【請求項１２】
前記第二屈折部の処方度数での視力に基づいて該第二屈折部のクリアに見える範囲の広さを調整する第二の広さ調整ステップ
を含み、
前記設計基準レンズ選定ステップにて、
前記基本設計レンズ群の中から、前記第一の広さ調整ステップにて前記第一屈折部のクリアに見える範囲の広さが調整されたレンズと一致又は近似し且つ前記第二の広さ調整ステップにて前記第二屈折部のクリアに見える範囲の広さが調整されたレンズと一致又は近似する少なくとも一つの基本設計レンズが、前記眼鏡装用者が装用する累進レンズの設計基準レンズとして選定される、
請求項１０又は請求項１１に記載の累進レンズを製造するための方法。
【手続補正６】
【補正対象書類名】特許請求の範囲
【補正対象項目名】請求項１９
【補正方法】変更
【補正の内容】
【請求項１９】
第一の屈折力を持つ第一屈折部、該第一の屈折力に対して近方視のために屈折力（加入屈折力）が付加された第二の屈折力を持つ第二屈折部、及び該第一屈折部から該第二屈折部に至る子午線沿いに屈折力が累進的に変化する累進帯部を持つ累進レンズを製造するための方法であって、
提示画像の鮮明度に応じた眼鏡装用者の生体信号を計測する生体信号計測ステップと、
前記生体信号計測ステップにて計測される生体信号に基づいて、前記第一屈折部の処方度数を持つレンズを介してものを見たときの眼鏡装用者のボヤケに対する感じやすさを示すボヤケ感度を推定するボヤケ感度推定ステップと、
前記ボヤケ感度推定ステップにて推定されたボヤケ感度に基づいて前記第一屈折部のクリアに見える範囲の広さを調整する第一の広さ調整ステップと、
所定の基本設計レンズ群の中から、前記第一の広さ調整ステップにて前記第一屈折部のクリアに見える範囲の広さが調整されたレンズと一致又は近似する少なくとも一つの基本設計レンズを、前記眼鏡装用者が装用する累進レンズの設計基準レンズとして選定する設計基準レンズ選定ステップと、
前記設計基準レンズ選定ステップにて選定された設計基準レンズのレンズ設計に基づいて累進レンズを製造するためのデータを作成するデータ作成ステップと、
を含む、
累進レンズを製造するための方法。
【手続補正７】
【補正対象書類名】特許請求の範囲
【補正対象項目名】請求項２１
【補正方法】変更
【補正の内容】
【請求項２１】
前記第二屈折部の処方度数での視力に基づいて該第二屈折部のクリアに見える範囲の広さを調整する第二の広さ調整ステップ
を含み、
前記設計基準レンズ選定ステップにて、
前記基本設計レンズ群の中から、前記第一の広さ調整ステップにて前記第一屈折部のクリアに見える範囲の広さが調整されたレンズと一致又は近似し且つ前記第二の広さ調整ステップにて前記第二屈折部のクリアに見える範囲の広さが調整されたレンズと一致又は近似する少なくとも一つの基本設計レンズが、前記眼鏡装用者が装用する累進レンズの設計基準レンズとして選定される、
請求項１９又は請求項２０に記載の累進レンズを製造するための方法。
【手続補正８】
【補正対象書類名】明細書
【補正対象項目名】００１２
【補正方法】変更
【補正の内容】
【００１２】
本実施形態に係る累進レンズを製造するための装置は、完全矯正値、及び第一屈折部の処方度数の値の入力を要求する入力部を備える構成であってもよい。この場合、ボヤケ感度推定手段は、入力部を介して入力された完全矯正値と、入力部を介して入力された第一屈折部の処方度数の値との関係に基づいてボヤケ感度を推定する。
【手続補正９】
【補正対象書類名】明細書
【補正対象項目名】００１５
【補正方法】変更
【補正の内容】
【００１５】
また、本実施形態に係る累進レンズを供給するためのレンズ供給システムは、累進レンズを製造するための上記装置と、上記装置と所定のネットワークを介して接続された入力装置とを備える。入力装置は、累進レンズを設計するための情報の入力を要求する入力部と、入力部を介して入力された情報を装置に送信する送信手段とを有する。ボヤケ感度推定手段は、送信手段により送信された情報に基づいてボヤケ感度を推定し、第一の広さ調整手段は、ボヤケ感度推定手段により推定されたボヤケ感度に基づいて第一屈折部のクリアに見える範囲の広さを調整し、設計基準レンズ選定手段は、所定の基本設計レンズ群の中から、第一の広さ調整手段にて第一屈折部のクリアに見える範囲の広さが調整されたレンズと一致又は近似する少なくとも一つの基本設計レンズを、眼鏡装用者が装用する累進レンズの設計基準レンズとして選定する。
【手続補正１０】
【補正対象書類名】明細書
【補正対象項目名】００１６
【補正方法】変更
【補正の内容】
【００１６】
入力部は、完全矯正値、及び第一屈折部の処方度数の値の入力を要求する構成としてもよい。ボヤケ感度推定手段は、送信手段により送信された完全矯正値と、送信手段により送信された第一屈折部の処方度数の値との関係に基づいてボヤケ感度を推定する。
【手続補正１１】
【補正対象書類名】明細書
【補正対象項目名】００１８
【補正方法】変更
【補正の内容】
【００１８】
本実施形態に係る累進レンズを製造するための方法は、第一の屈折力を持つ第一屈折部、第一の屈折力に対して近方視のために屈折力（加入屈折力）が付加された第二の屈折力を持つ第二屈折部、及び第一屈折部から第二屈折部に至る子午線沿いに屈折力が累進的に変化する累進帯部を持つ累進レンズを製造するための方法であり、第一屈折部の処方度数を持つレンズを介してものを見たときの眼鏡装用者のボヤケに対する感じやすさを示すボヤケ感度を推定するボヤケ感度推定ステップと、ボヤケ感度推定ステップにて推定されたボヤケ感度に基づいて第一屈折部のクリアに見える範囲の広さを調整する第一の広さ調整ステップと、所定の基本設計レンズ群の中から、第一の広さ調整ステップにて第一屈折部のクリアに見える範囲の広さが調整されたレンズと一致又は近似する少なくとも一つの基本設計レンズを、眼鏡装用者が装用する累進レンズの設計基準レンズとして選定する設計基準レンズ選定ステップと、設計基準レンズ選定ステップにて選定された設計基準レンズのレンズ設計に基づいて累進レンズを製造するためのデータを作成するデータ作成ステップとを含む。
【手続補正１２】
【補正対象書類名】明細書
【補正対象項目名】００５５
【補正方法】変更
【補正の内容】
【００５５】
［図４のＳ２１（各基本設計ポイントＤＥＳ１〜ＤＥＳ７の計算）］
本処理ステップＳ２１では、基本設計ポイントＤＥＳ１〜ＤＥＳ７が計算される。ここでは、基本設計ポイントＤＥＳ１〜ＤＥＳ７について概説的に説明する。基本設計ポイントＤＥＳ１〜ＤＥＳ７の詳細な説明については、特許第５０９４９６８号公報（対応米国特許第８６９０３２３（Ｂ２））にて参照することができる。
【手続補正１３】
【補正対象書類名】明細書
【補正対象項目名】００５８
【補正方法】変更
【補正の内容】
【００５８】
眼鏡セレクタアプリ１０２は、店頭コンピュータ１００に表示される各種データの入力画面を通じて入力されたフレーム情報（レンズの前傾角ＰＡ）に基づいて第３の基本設計ポイントＤＥＳ３を計算する。
【手続補正１４】
【補正対象書類名】明細書
【補正対象項目名】００５９
【補正方法】変更
【補正の内容】
【００５９】
眼鏡セレクタアプリ１０２は、店頭コンピュータ１００に表示される各種データの入力画面を通じて入力されたフレーム情報（左右のレンズ裏面と左右の眼球角膜頂点との距離ＶＤＬ、ＶＤＲ）に基づいて平均頂間距離ＭＶＤを計算し、計算された平均頂間距離ＭＶＤに基づいて第４の基本設計ポイントＤＥＳ４を計算する。
【手続補正１５】
【補正対象書類名】明細書
【補正対象項目名】００６０
【補正方法】変更
【補正の内容】
【００６０】
眼鏡セレクタアプリ１０２は、店頭コンピュータ１００に表示される生活スタイルを問う画面を通じて入力された各生活シーン（テレビ鑑賞、パソコン、楽器演奏、料理、ガーデニング、ダンス・フィットネス）に対する重要度Ａ１〜Ａ６、各生活シーン（ショッピング、会食・パーティー、旅行・リゾート、風景写真撮影、ランニング、ウォーキング）に対する重要度Ｂ１〜Ｂ６及び各生活シーン（ドライブ、バイク・ツーリング・スタジアム観戦、ゴルフ、登山・ハイキング、劇場・映画鑑賞）に対する重要度Ｃ１〜Ｃ６に基づいて第５の基本設計ポイントＤＥＳ５を計算する。
【手続補正１６】
【補正対象書類名】明細書
【補正対象項目名】００６１
【補正方法】変更
【補正の内容】
【００６１】
眼鏡セレクタアプリ１０２は、店頭コンピュータ１００に表示される各種データの入力画面を通じて入力された重視度ＦＷＴ（装用予定者の遠方視に対する重要度）に基づいて第６の基本設計ポイントＤＥＳ６を計算する。
【手続補正１７】
【補正対象書類名】明細書
【補正対象項目名】００６２
【補正方法】変更
【補正の内容】
【００６２】
眼鏡セレクタアプリ１０２は、店頭コンピュータ１００に表示される各種データの入力画面を通じて入力されたタイプ情報ＫＢｔｐ（累進レンズ・多焦点レンズ・その他単焦点レンズなど、装用予定者が前回使用していた眼鏡のレンズ種の情報）、前回使用していた眼鏡の満足度ＳＡＴ及び平均値ＭＰＷｐ並びにＭＰＷに基づいて第７の基本設計ポイントＤＥＳ７を計算する。
【手続補正１８】
【補正対象書類名】明細書
【補正対象項目名】００６４
【補正方法】変更
【補正の内容】
【００６４】
［図４のＳ２３（基本設計ポイントＤＥＳの計算）］
本処理ステップＳ２３では、ＤＥＳＴＴ（＝ＤＥＳ１＋ＤＥＳ２＋ＤＥＳ３＋ＤＥＳ４＋ＤＥＳ５＋ＤＥＳ６＋ＤＥＳ７＋ＤＥＳ８）、ＣＵＲＤ（前回使用眼鏡のタイプの指標）及び満足度ＳＡＴに基づいて基本設計ポイントＤＥＳが計算される。なお、基本設計ポイントＤＥＳの計算の詳細（但し、第８の基本設計ポイントＤＥＳ８を除く内容）は、特許第５０９４９６８号公報（対応米国特許第８６９０３２３（Ｂ２））にて参照することができる。
【国際調査報告】
2015099135.tif 000012
2015099135.tif 000013
2015099135.tif 000014
2015099135.tif 000015